【手続補正書】
【提出日】平成20年4月25日(2008.4.25)
【手続補正１】
【補正対象書類名】明細書
【補正対象項目名】全文
【補正方法】変更
【補正の内容】
【書類名】  明細書
【発明の名称】外界事象の映像を額の皮膚触覚で把握識別させる視覚補助ピンデイスプレイ装具
【特許請求の範囲】
【請求項１】  ズームレンズ（２）プリズム（３）ミラー（４）を介して得た外界事象の映像を、映像の明暗に応じて帯電する個々の光電素子（７）群で受け、その一つ一つに対応する永久磁石化されたピン（１２）電極の反発と、弾力体（１３）によるピン（１２）の押戻しとで起きるピン（１２）の往復振動に転換させ、ピン群の振動に集約された外界事象を、額の皮膚触覚で把握識別させる視覚補助ピンデイスプレイ装具。
【請求項２】  ピン（１２）をピンディスプレイ（５）として機能させ、製造時の利便性を考慮した四つの層、第一層（６）第二層（９）第三層（１０）第四層（１１）から成る請求項１記載の視覚補助のピンデイスプレイ装具。
【請求項３】  ズームレンズの操作を、パイプ（１８）を通して口唇からの息の吹き吸いによる圧力スイツチで行う請求項１記載の視覚補助ピンデイスプレイ装具。
【発明の詳細な説明】
【０００１】
【発明の属する技術分野】
本発明は、ズームレンズ、プリズム、ミラーを介して得た外界事象の映像を、映像の明暗に応じて帯電する個々の光電素子群で受け、その一つ一つに対応する永久磁石化されたピン電極の反発と、弾力体によるピンの押戻しで起きるピンの往復振動に転換させ、振動によるピン群に集約された外界事象を、額の皮膚触覚で把握識別させる視覚補助ピンデイスプレイ装具。及びその製造法に関する。
【０００２】
【従来の技術】
従来の技術として、視覚障害者の視覚に代わるものとして触覚デスプレイや超音波や赤外線センサーを利用したものがあり、レンズを通すものには１９７６年公開の  特開昭５１−６５９５４  人工視覚装置や、１９７９年公開の  昭５４−１２１９６  光学レンズを用いた視覚代行補具などがある。前者は、テレビジヨン撮像管の出力ビデオ信号を処理して、人体の皮膚上に適宜の配置で装着した複数個の電極に、並列信号の電流を加えるとしている。後者は、光学レンズ・光電変換素子・信号処理回路・刺激体を用いて盲人の皮膚に外部情報を伝達し、盲人の単独歩行及び文字の読み取りを可能にし得る、というものである。
【０００３】
【発明が解決しようとする課題】
従来のこれらの発明は、人体の接点として、皮膚上にとか、皮膚にと表現されているが、説明文では前者が背中を想定し、後者は、信号を腹部に設置した刺激体に送る方法もあると述べている。
【０００４】
これらの発明は視覚障害者の切実な要望にこたえるものであるが、公開されてから２０年を越える時間の経過をみながら未だ普及していない。その原因は、装置が軽便なものでないことや、人体に接する皮膚の部位が不適当であり、方法としても信号電流を加えるとか、刺激体を用いるなどと、人体に対する日常的な恒常性に配慮が薄いことが考えられる。
【０００５】
ごく最近では視神経に直接、光学電子回路を埋め込む研究も進められているという報道もあるが、非常に危ういものを感じさせ、もしも成功率が高くても、その埋め込みには重大な決意を伴うものである。
【０００６】
本発明は、光電素子に中和回路を添えているが、単純な機能で軽便な視覚補助装具を得ることを目的としており、この視覚補助装具の主要な部分である、ピンデイスプレイの製造法を提供することを目的としている。
【０００７】
【課題を解決するための手段】
単純な機能で軽便な視覚補助装具とするために、プラス・マイナス電極の反撥作用に着目し、光学画像と人体のインターフエスとなるものに、光電素子の帯電に反撥して振動するピンを設定し、その集合体であるピンデイスプレイを設計した。装着する人体の部位を、両眼や視神経の位置に最も近く、また、視覚の障害を高度に補う聴覚の、両耳の中央に位置する額の皮膚面に確定して、外界事象をピンデイスプレイで触覚し、把握識別させる視覚補助ピンデイスプレイ装具とした。
【０００８】
【発明の実施の形態】
発明の実施の形態を実施例にもとづき図面を参照して説明する。
図１は実施例で、本発明の視覚補助ピンデイスプレイ装具の本体（１）をバンド等で額に固定させた形である。
図２は、本体（１）の中央縦断面説明図で、ズームレンズ（２）、プリズム（３）、ミラー（４）を組合せて、第一層（６）の絶縁体表面の光電素子（７）群に、外界事象の映像を結ばせる。
【０００９】
図３は、ピンデイスプレイ（５）の部分拡大図で、映像を受けた個々の光電素子（７）は、映像の明暗に応じてプラス帯電をする。その光電素子（７）のプラス電気に対して、第一層（６）絶縁体裏側の銀粒子（８）が反応してマイナスの電気を帯びる。第一層（６）に接着された第二層（９）と第三層（１０）、及び第四層（１１）には、永久磁石化されたピン（１２）を保持し、銀粒子（８）のマイナス化に対してピン（１２）のマイナス電極が反発する。第三層（１０）に包蔵された弾力体（１３）がピンのストツパー部分（１４）で強制的に押戻し、反発復元の繰返しでピン（１２）に、振動を発生させる。
【００１０】
振動はピンキヤツプ（１５）で緩和され、埃や汗脂を防ぐ、取替え可能な保護膜（１６）を通して、額の皮膚面に伝えられる。ピンデイスプレイ（５）に集約された外界事象を、額の皮膚触覚で把握識別させる視覚補助のピンデイスプレイ装具である。
【００１１】
額の形状は、傾斜度や丸みなど、個々の人それぞれ固有のものであるから、本体（１）の額に接する外枠部分（１７）とミラー（４）の形はオーダーをとり、かつ、額に接するビンデスプレイ（５）が、額に密接するように、ピン縦列に添つた随所に、第一層（６）から第四層（１１）半ばまで切り込み（１８）をいれ、第四層（１１）を確実に額の形に添わせる。
【００１２】
ズームレンズ（２）の操作は、パイプ（１９）を通して口唇からの息の吹き吸いによる圧力スイツチで行う。ズームの常態はワイド側にあるが、必要に応じて息を吹き、ズームを働かせて映像サイズをタイトにする。サイズの保持は、パイプ（１９）付属のクリツプ（２０）を閉じ、一時的保持の場合にはパイプ（１９）を噛むことで行う。
【００１３】
【発明の効果】
視覚障害者の視覚を補うものに、歩行に白杖があり、読み書きには、点字や音声ワープロがある。いずれも聴覚や触覚を活用しながら、杖の先や指先の一点でのリサーチでありスキヤンニングで、対象に迫る間口は狭い。晴眼者の視野に相当する外界事象を一挙に把握し、全体の中の杖先や指先なども相対的に掌握する視覚補助装具は、視覚障害者に喜びや望みをもたらすものである。
【００１４】
本発明の視覚補助のピンデイスプレイ装具は、多少の訓練を必要とするが、特に、動くものの把握に優れており、視野的に動体が来る、去る、入る、外れる等の動きが容易に認識できる。また、自身が移動することによる事物の相対的な動きを捕捉することの意義は大きい。
【００１５】
自身の手や足を、外界の事象と入れ込みで捕らえることができて、自己と事物の相対関係の認識が可能になる。ズーム機能を備えているので、自己の注意度によって対象を拡大できる。将来的には放送のチユウナーに接続してテレビ画像を認識することや、鏡に映る自分の姿などが、触覚可能となるなど、視覚障害者の認識範囲は飛躍的な広がりをみせ、肉体的にも精神的にも行動範囲が拡大される。
【００１６】
ピンデイスプレイのピンは０．０１ｍ２あたり９本から約１６本の微細なものであるが、四つの層に分けて、組み立て接着することによって、容易に確実に製品とすることができる。
【図面の簡単な説明】
【図１】
視覚補助ピンデイスプレイ装具の外見的実施例である。
【図２】
視覚補助ピンデイスプレイ装具本体の中央縦断面説明図である。
【図３】
視覚補助ピンデイスプレイ装具のピンデイスプレイの部分拡大図である。
【符号の説明】
１  本体
２  ズームレンズ
３  プリズム
４  ミラー
５  ピンデイスプレイ
６  第一層
７  光電素子
８  銀粒子
９  第二層
１０  第三層
１１  第四層
１２  ピン
１３  弾力体
１４  ストツパー部分
１５  ピンキヤツプ
１６  保護膜
１７  外枠部分
１８  切り込み
１９  パイプ
２０  クリツプ
【手続補正２】
【補正対象書類名】図面
【補正対象項目名】全図
【補正方法】変更
【補正の内容】
【書類名】  図面
【図１】
2002336292.tif 000001
【図２】
2002336292.tif 000002
【図３】
2002336292.tif 000003